(57)【特許請求の範囲】
【請求項１】
無線通信システムにおいて、少なくともプライマリコンポーネントキャリアおよびセカンダリコンポーネントキャリアを含む複数のコンポーネントキャリア上での送受信が可能なモバイル装置のためのシステム情報の受信をハンドリングする方法であって、
上記複数のコンポーネントキャリアのうちの上記プライマリコンポーネントキャリアのシステム情報を報知シグナリングで受信する第１の受信ステップと、
受信した上記プライマリコンポーネントキャリアのシステム情報が有効であると上記モバイル装置が判断する有効期間の経過後において、上記プライマリコンポーネントキャリアのシステム情報が無効であると判断し、上記プライマリコンポーネントキャリア上で報知されたシステム情報を自動的に読み込むことにより、上記プライマリコンポーネントキャリアのシステム情報を更新するステップと、
第１の個別シグナリングで上記複数のコンポーネントキャリアのうちの上記セカンダリコンポーネントキャリアのシステム情報を受信する第２の受信ステップと、
セカンダリコンポーネントキャリアのシステム情報の最新版が第２の個別シグナリングで受信されるまで、上記セカンダリコンポーネントキャリアの上記システム情報を有効にし続ける維持ステップを含み、
上記第１の個別シグナリングは“RRCConnectionReconfiguration”メッセージであり、上記第２の個別シグナリングは、別の“RRCConnectionReconfiguration”メッセージである、ことを特徴とするハンドリング方法。
【請求項２】
無線通信システムにおいて、複数のコンポーネントキャリア上での送受信が可能なモバイル装置のためのシステム情報の受信をハンドリングする方法であって、
第１の個別シグナリングで上記複数のコンポーネントキャリアのうちのセカンダリコンポーネントキャリアのシステム情報を受信する受信ステップと、
セカンダリコンポーネントキャリアのシステム情報の最新版が第２の個別シグナリングで受信されるまで、上記セカンダリコンポーネントキャリアの上記システム情報を有効にし続ける維持ステップであって、セカンダリコンポーネントキャリアの受信した上記システム情報が有効であると上記モバイル装置が判断している有効期間の経過後であっても、上記セカンダリコンポーネントキャリアの上記システム情報を有効にし続ける維持ステップと、
ネットワークによって、上記セカンダリコンポーネントキャリアを、上記複数のコンポーネントキャリアのうちのプライマリコンポーネントキャリアに変更するように設定する設定ステップと、
上記設定ステップにて上記セカンダリコンポーネントキャリアを変更するように設定された場合に、上記有効期間の長さでタイマーを開始する開始ステップと、
上記設定ステップにて上記セカンダリコンポーネントキャリアを変更するように設定された場合に、上記タイマーが終了するまで、上記セカンダリコンポーネントキャリアの上記システム情報を有効にし続ける第２の維持ステップと、を含んでいることを特徴とするハンドリング方法。
【請求項３】
上記有効期間内に、上記セカンダリコンポーネントキャリアの上記システム情報の最新版が受信されなかった時に、上記ネットワークを示すメッセージを送信する送信ステップを更に含んでいることを特徴とする請求項２に記載のハンドリング方法。
【請求項４】
上記有効期間内に上記セカンダリコンポーネントキャリアの上記システム情報の上記最新版が受信されなかった時、上記ネットワークを示すメッセージを送信する上記送信ステップは、
上記セカンダリコンポーネントキャリアの上記システム情報が有効であると上記有効期間に亘って判断する判断ステップと、
上記セカンダリコンポーネントキャリアの上記システム情報の上記最新版が上記有効期間内に受信されない時に、上記ネットワークを示すメッセージを送信する送信ステップと、を含んでいることを特徴とする請求項３に記載のハンドリング方法。
【請求項５】
無線通信システムにおいて、複数のコンポーネントキャリア上での送受信が可能なモバイル装置のためのシステム情報の受信をハンドリングする方法であって、
第１の個別シグナリングで上記複数のコンポーネントキャリアのうちのセカンダリコンポーネントキャリアのシステム情報を受信する受信ステップと、
セカンダリコンポーネントキャリアのシステム情報の最新版が第２の個別シグナリングで受信されるまで、上記セカンダリコンポーネントキャリアの上記システム情報を有効にし続ける維持ステップであって、セカンダリコンポーネントキャリアの受信した上記システム情報が有効であると上記モバイル装置が判断している有効期間の経過後であっても、上記セカンダリコンポーネントキャリアの上記システム情報を有効にし続ける維持ステップと、
上記有効期間内に、上記セカンダリコンポーネントキャリアの上記システム情報の最新版が、受信されなかった時、上記セカンダリコンポーネントキャリアの報知シグナリングで上記セカンダリコンポーネントキャリアの上記システム情報の上記最新版を受信する受信ステップと、を含んでいることを特徴とするハンドリング方法。
【請求項６】
無線通信システムにおいて、複数のコンポーネントキャリア上での送受信が可能なモバイル装置のためのシステム情報の受信をハンドリングする方法であって、
第１の個別シグナリングで上記複数のコンポーネントキャリアのうちのセカンダリコンポーネントキャリアのシステム情報を受信する受信ステップと、
セカンダリコンポーネントキャリアのシステム情報の最新版が第２の個別シグナリングで受信されるまで、上記セカンダリコンポーネントキャリアの上記システム情報を有効にし続ける維持ステップであって、セカンダリコンポーネントキャリアの受信した上記システム情報が有効であると上記モバイル装置が判断している有効期間の経過後であっても、上記セカンダリコンポーネントキャリアの上記システム情報を有効にし続ける維持ステップと、
上記セカンダリコンポーネントキャリアを、上記複数のコンポーネントキャリアのうちのプライマリコンポーネントキャリアに変更するように設定する設定ステップと、
上記セカンダリコンポーネントキャリアを上記プライマリコンポーネントキャリアに変更することに応じて、上記セカンダリコンポーネントキャリアの上記システム情報を報知シグナリングで受信する受信ステップと、を含んでいることを特徴とするハンドリング方法。
【請求項７】
上記セカンダリコンポーネントキャリアを上記プライマリコンポーネントキャリアに変更することに応じて、上記セカンダリコンポーネントキャリアの上記システム情報を上記報知シグナリングで受信する上記受信ステップは、
上記セカンダリコンポーネントキャリアの上記システム情報が上記プライマリコンポーネントキャリア上の上記報知シグナリングによって送信されたシステム情報と異なる時に、上記セカンダリコンポーネントキャリアを上記プライマリコンポーネントキャリアに変更することに応じて、上記報知シグナリングで、上記セカンダリコンポーネントキャリアの上記システム情報を受信する受信ステップを含んでいることを特徴とする請求項６に記載のハンドリング方法。
【請求項８】
上記セカンダリコンポーネントキャリアの上記システム情報が上記プライマリコンポーネントキャリア上の上記報知シグナリングによって送信された上記システム情報と異なる時に、上記セカンダリコンポーネントキャリアを上記プライマリコンポーネントキャリアに変更することに応じて、上記報知シグナリングで、上記セカンダリコンポーネントキャリアの上記システム情報を受信する受信ステップは、
上記セカンダリコンポーネントキャリアの上記システム情報に含まれる第１バリュータグが上記報知シグナリングによって送信された上記システム情報に含まれる第２バリュータグと異なる時に、上記セカンダリコンポーネントキャリアを上記プライマリコンポーネントキャリアに変更することに応じて、上記報知シグナリングで、上記セカンダリコンポーネントキャリアの上記システム情報を受信する受信ステップを含んでいることを特徴とする請求項７に記載のハンドリング方法。
【発明の詳細な説明】
【技術分野】
【０００１】
本出願は、２０１０年４月１９日に出願された「無線通信システムにおける管理システム情報受信方法および装置（“Method and Apparatus for managing system information reception in a wireless communication system”）」を名称とする米国仮出願番号６１／３２５８００号、２０１０年４月２０日に出願された「無線通信システムにおける管理システム情報受信方法および装置（“Method and Apparatus for managing system information reception in a wireless communication system”）」を名称とする米国仮出願番号６１／３２５８２１号、および、２０１０年５月６日に出願された「無線通信システムにおける管理システム情報受信方法および装置（“Method and Apparatus for managing system information reception in a wireless communication system”）」を名称とする米国仮出願番号６１／３３１８３８号に基づく優先権主張を伴う。上記英国仮出願の内容は、その全体が参照により本明細書に組み込まれているものとする。
【０００２】
本願は、無線通信に利用される方法およびそのような方法を用いる通信装置に関するものであり、特に、上記無線通信システムにおいてシステム情報の受信をハンドリングする方法および関連する通信装置に関する。
【背景技術】
【０００３】
第３世代パートナーシッププロジェクト（３ＧＰＰ：3rd Generation Partnership Project）によって開始されたロングタームエボリューション（ＬＴＥ：Long Term Evolution）システムは、現在、高データレート、短レイテンシであって、パケットが最適化され、更に、システムの性能およびカバレッジが改善された新たな無線インターフェースおよび無線ネットワークアーキテクチャと考えられている。ＬＴＥシステムにおいて、進化型ユニバーサル地上無線通信アクセスネットワーク（ＥＵＴＲＡＮ：Evolved Universal Terrestrial Radio Access Network）は、複数の進化型ノードＢ（evolved Node-B）を備え、ユーザ装置（ＵＥ）とも言われる複数の移動局と通信する。
【０００４】
ＬＴＥシステムにおいて、ＵＥは、セルの選択時（例えば、電源オン時）および再選択時、ハンドオーバーの終了後、その他のＲＡＴからのＥ−ＵＴＲＡの入力後、範囲外からの返信時、システム情報が変化したことの通知の受信時、地震津波警報システム（ＥＴＷＳ：Earthquake and Tsunami Warning System）通知の存在についての指示の受信時、商用移動通信警報システム（ＣＭＡＳ：Commercial Mobile Alert System）通知の存在についての指示の受信時において、Ｅ−ＵＴＲＡＮによって報知されたシステム情報を取得するためのシステム情報取得手段に適用している。なお、明確に定められていなければ、システム情報取得手段は、何れかの保存システム情報で上書きする。
【０００５】
一方、ＵＥは、保存システム情報が、”SystemInformationBlockType１”に含まれる”SystemInfoValueTag”のチェックによって有効のままであることを確認する。つまり、ＵＥは、前の保存システム情報が、”SystemInformationBlockType１”に含まれる”SystemInfoValueTag”が保存システム情報の何れかと異なっているとき、無効とみなす。したがって、ＵＥは、システム情報を再取得するためにシステム情報取得手段を実行する。加えて、ＵＥは、保存システム情報が、当該システム情報が有効であると確認できた瞬間から、３時間後に無効とみなす。
【０００６】
より高いピークデータレートでデータを伝送するような進化した高速無線通信システムを実現するために、ＬＴＥ―Ａｄｖａｎｃｅｄは、ＬＴＥシステムの発展版として、第３世代パートナーシッププロジェクト（３ＧＰＰ）によって標準化されている。ＬＴＥ―Ａｄｖａｎｃｅｄは、パワーステート（power states）のより素早い切り替えを目的としている。また、ＬＴＥ―Ａｄｖａｎｃｅｄは、セル端における処理能力を向上する。そして、ＬＴＥ―Ａｄｖａｎｃｅｄ、帯域幅拡張、多地点協調送受信（ＣＯＭＰ）、アップリンクにおけるマイモ（ＭＩＭＯ）等といった対象を含んでいる。
【０００７】
帯域幅拡張のため、ＬＴＥ―Ａｄｖａｎｃｅｄには、帯域幅をより広く拡張するキャリアアグリゲーション（ＣＡ：Carrier Aggregation）が導入されている。２以上のコンポーネントキャリアが束ねられたキャリアアグリゲーションは、より広い送信帯域幅（例えば、１００ＭＨｚ以上）をサポートし、スペクトルアグリゲーション(Spectrum Aggregation)を実現する。キャリアアグリゲーションの能力に従って、複数のコンポーネントキャリアが束ねられて全体としてより広い帯域幅となり、ＵＥは、受信および／または送信を同時に行う複数のコンポーネントキャリアに対応する多重リンクを確立することができる。
【０００８】
さらに、コンポーネントキャリアは、プライマリコンポーネントキャリア（ＰＣＣ）およびセカンダリコンポーネントキャリア（ＳＣＣ）に分類されることが可能である。ＰＣＣは、常にアクティベート（activate）であり、一方で、ＳＣＣは特定の状態（例えば、送信データ量）にしたがってアクティベートまたはデアクティベート（deactivate）となる。“アクティベーション（activation）”という言葉は、（１）トラフィックデータの送信または受信が行われること、または、（２）トラフィックデータが、当該トラフィックデータの送信または受信可能状態であること、を意味している。一方、“デアクティベーション（deactivation）”という言葉は、トラフィックデータの送信または受信が行われていないことを意味する。デアクティベーションでは、計測が行われる、または、最小限の情報が送信または受信される。加えて、セカンダリコンポーネントキャリアに設定されたコンポーネントキャリアをプライマリコンポーネントキャリアに変更させることができる。
【０００９】
なお、ＬＴＥシステムにおいて、システム情報の受信／取得は、ＵＥが有している接続であって、シングルコンポーネントキャリアのシングルセルに対する唯一の接続として定義されている。しかし、ＬＴＥ−Ａｄｖａｎｃｅｄシステムにおいて、システム情報の受信の仕組みは、ＵＥが有している複数の追加接続であって、異なる複数のコンポーネントキャリアの複数の追加セルに対する複数の追加接続として定義されていない。本出願人は、キャリアアグリゲーションのもとでのＵＥが、以下に示すような、先行技術のＬＴＥおよびＬＴＥ−Ａｄｖａｎｃｅｄシステムの連携基板上の直接画像上に基づいたシステム情報の受信の問題に直面することに注目する。
【００１０】
セカンダリコンポーネントキャリアがＵＥに構成されている時、ネットワーク（例えば、ｅＮＢ）が、個別シグナリング（dedicated signaling）を有したＵＥに対し、セカンダリコンポーネントキャリアのシステム情報を供給するというシナリオを想定する。この時、ＵＥは、セカンダリコンポーネントキャリアの報知シグナリング（broadcast signaling）からセカンダリコンポーネントキャリアのシステム情報を受信しない。ＵＥは、セカンダリコンポーネントキャリアのシステム情報を受信した時、セカンダリコンポーネントキャリアのシステム情報を３時間、有効にし続ける。また、ＵＥは、セカンダリコンポーネントキャリアのシステム情報が３時間後に無効となることを考慮する。ＵＥは、３時間後、セカンダリコンポーネントキャリアの有効なシステム情報を有さず、セカンダリコンポーネントキャリアのシステム情報を更新するためのシステム情報の取得方法を知らない。
【００１１】
その他のシナリオにおいて、ＵＥは、ネットワークから個別シグナリングでセカンダリコンポーネントキャリアのシステム情報を更新する。しかし、セカンダリコンポーネントキャリアがプライマリコンポーネントキャリアになるように設定されている時、ＵＥは、システム情報更新のためのプライマリコンポーネントキャリア（すなわち、オリジナルセカンダリコンポーネントキャリア）のシステム情報の取得方法を知らない。
【先行技術文献】
【非特許文献】
【００１２】
【非特許文献１】3GPP TS 36.331 V9.2.0 3rd Generation Partnership Project; Technical Specification Group Radio Access Network; Evolved Universal Terrestrial Radio Access (E-UTRA) Radio Resource Control (RRC); Protocol specification (Release 9), 2010年3月
【非特許文献２】3GPP TSG RAN WG2 #69 bis R2-10xxxx Meeting notes, 2010年4月16日
【非特許文献３】3GPP TSG-RAN WG2 Meeting #69 R2-101846 Stage 2 description of Carrier Aggregation, 2010年02月22日
【発明の概要】
【発明が解決しようとする課題】
【００１３】
本願は、上述した問題を解決するために、無線通信システムおよび関連する通信装置におけるシステム情報の受信をハンドリングする方法を開示する。
【課題を解決するための手段】
【００１４】
無線通信システムにおいて、複数のコンポーネントキャリア上での送受信が可能なモバイル装置のためのシステム情報の受信をハンドリングする方法が開示されている。このハンドリング方法は、第１の個別シグナリングで上記複数のコンポーネントキャリアのうちのセカンダリコンポーネントキャリアのシステム情報を受信する受信ステップと、セカンダリコンポーネントキャリアのシステム情報の最新版が第２の個別シグナリングで受信されるまで、上記セカンダリコンポーネントキャリアの上記システム情報を有効にし続ける維持ステップと、を含んでいる。
【００１５】
無線通信システムにおいて、複数のコンポーネントキャリア上での送受信が可能なモバイル装置のためのシステム情報の受信をハンドリングする方法が開示されている。このハンドリング方法は、上記複数のコンポーネントキャリアのうちのセカンダリコンポーネントキャリアのシステム情報を受信する受信ステップと、上記セカンダリコンポーネントキャリアの受信した上記システム情報が有効であると、上記モバイル装置が判断している有効期間内に、上記セカンダリコンポーネントキャリアの上記システム情報の最新版が受信されなかった時に、上記ネットワークを示すメッセージを送信する送信ステップと、を含んでいる。
【００１６】
無線通信システムにおいて、複数のコンポーネントキャリア上での送受信が可能なモバイル装置のためのシステム情報の受信をハンドリングする方法が開示されている。このハンドリング方法は、上記複数のコンポーネントキャリアのうちのセカンダリコンポーネントキャリアのシステム情報を受信する受信ステップと、上記セカンダリコンポーネントキャリアの上記システム情報が有効であると、モバイル装置が判断している有効期間内に、上記セカンダリコンポーネントの上記システム情報の最新版が、受信されなかった時、上記セカンダリコンポーネントキャリアの報知シグナリングで上記セカンダリコンポーネントキャリアの上記システム情報の上記最新版を受信する受信ステップと、を含んでいる。
【００１７】
複数のコンポーネントキャリア上での送受信が可能なモバイル装置を備える無線通信システムのネットワークのための、システム情報の受信をハンドリングする方法が開示されている。このハンドリング方法は、上記複数のコンポーネントキャリアのうちのセカンダリコンポーネントキャリアのシステム情報を上記モバイル装置に送信する送信ステップと、上記セカンダリコンポーネントキャリアの上記システム情報が有効であると、上記モバイル装置が判断している有効期間内に、上記セカンダリコンポーネントキャリアの上記システム情報の最新版を上記モバイル装置に送信する送信ステップと、を含んでいる。
【００１８】
複数のコンポーネントキャリア上での送受信が可能なモバイル装置を備える無線通信システムのネットワークのための、システム情報の受信をハンドリングする方法が開示されている。このハンドリング方法は、上記複数のコンポーネントキャリアのうちのセカンダリコンポーネントキャリアのシステム情報を上記モバイル装置に送信する送信ステップと、上記複数のコンポーネントキャリアのうちのセカンダリコンポーネントキャリアが上記モバイル装置のための上記複数のコンポーネントキャリアのうちのプライマリコンポーネントキャリアになるように設定する設定ステップと、上記セカンダリコンポーネントキャリアのシステム情報を送信するための個別シグナリングで上記モバイル装置に、上記プライマリコンポーネントキャリアのシステム情報を、送信する送信ステップと、を含んでいる。
【００１９】
無線通信システムにおいて、複数のコンポーネントキャリア上での送受信が可能なモバイル装置のためのシステム情報の受信をハンドリングする方法が開示されている。このハンドリング方法は、上記複数のコンポーネントキャリアのうちのセカンダリコンポーネントキャリアのシステム情報を受信する受信ステップと、上記セカンダリコンポーネントキャリアを、上記複数のコンポーネントキャリアのうちのプライマリコンポーネントキャリアに変更するように設定する設定ステップと、上記セカンダリコンポーネントキャリアを上記プライマリコンポーネントキャリアに変更することに応じて、上記セカンダリコンポーネントキャリアの上記システム情報を報知シグナリングで受信する受信ステップと、を含んでいる。
【００２０】
本発明の前述の目的およびその他の目的は、様々な図面で示された以下の好ましい実施形態の詳細な説明を読んだ当業者にとって、確実に明らかである。
【図面の簡単な説明】
【００２１】
【図１】図１は無線通信システムの概要図である。
【図２】図２は、一実施形態に係る典型的な通信装置の概要図である。
【図３】図３は、典型的な通信システムの通信プロトコルレイヤを示す概要図である。
【図４】図４は、第１の実施形態に係る典型的な処理のフローチャートである。
【図５】図５は、第２の実施形態に係る典型的な処理のフローチャートである。
【図６】図６は、第３の実施形態に係る典型的な処理のフローチャートである。
【図７】図７は、第４の実施形態に係る典型的な処理のフローチャートである。
【図８】図８は、第５の実施形態に係る典型的な処理のフローチャートである。
【図９】図９は、第６の実施形態に係る典型的な処理のフローチャートである。
【発明を実施するための形態】
【００２２】
図１を参照されたい。図１は、モバイル装置１０と基地局Ｂ１−Ｂｎとの間における複数接続を特徴とする無線通信システムの概要図である。この無線通信システムは、ＬＴＥ―Ａｄｖａｎｃｅｄシステム（すなわち、進化型ユニバーサル地上無線アクセスネットワーク（Ｅ−ＵＴＲＡＮ））または他の類似するネットワークシステム（例えば、ＷｉＭＡＸ（Worldwide Interoperability for Microwave Access））であっても良い。モバイル装置１０は、キャリアアグリゲーションで動作することができる。図１において、モバイル装置１０は、当該モバイル装置１０において構成されたコンポーネントキャリアｃｃ＃１−ｃｃ＃ｍのそれぞれ対応する無線リンクＬ１−Ｌｍを通じて、基地局Ｂ１−Ｂｎと通信する。コンポーネントキャリアｃｃ＃１−ｃｃ＃ｍの各々は、異なる複数の通信システムに応じて、様々な帯域幅となる無線周波数（ＲＦ）チャネルに対応している。さらに、モバイル装置１０は、ユーザ端末（ＵＥ）または移動局（ＭＳ）と呼ばれる。モバイル装置１０は、携帯電話やコンピュータシステム等のような装置であっても良い。
【００２３】
なお、コンポーネントキャリアｃｃ＃１−ｃｃ＃ｍは、プライマリコンポーネントキャリア（ＰＣＣ）およびセカンダリコンポーネントキャリア（ＳＣＣ）に分類される。プライマリコンポーネントキャリアは、常にアクティベートであり、一方でセカンダリコンポーネントキャリアは、は特定の状態（例えば、送信データ量）にしたがってアクティベートまたはデアクティベートとなる。更に、モバイル装置１０は、３時間後に無効となり、コンポーネントキャリア（例えば、プライマリコンポーネントキャリアおよび／またはセカンダリコンポーネントキャリア）の保存システム情報を決定する。これは、当技術分野で周知であるため、ここでは詳細な説明を割愛する。本明細書においては、“有効期間”という言葉は、保存システム情報に対する３時間の有効時間を表す。
【００２４】
図２は、典型的な通信装置２０を示す概要図である。この通信装置２０は、図１に示したモバイル装置１０またはネットワーク（例えば、基地局）になり得るが、これに限定されるものではない。この通信装置２０は、マイクロプロセッサまたはＡＳＩＣ（Application Specific Integrated Circuit）のような処理手段２００、記憶ユニット２１０、および通信インターフェースユニット２２０を備えている。記憶ユニット２１０には、処理手段２００によってアクセスされるプログラムコード２１４を記憶することが可能な、任意のデータ記憶装置が採用され得る。記憶ユニット２１０の例としては、加入者識別モジュール（ＳＩＭ）、リードオンリーメモリ（ＲＯＭ）、フラッシュメモリ、ランダムアクセスメモリ（ＲＡＭ）、ＣＤ−ＲＯＭ、磁気テープ、ハードディスク、および光学データ記憶装置が挙げられるが、これらに限定されるものではない。通信インターフェースユニット２２０は、好ましくは無線送受信機であり、処理手段２００の処理結果に応じて、ネットワークとの間で無線信号の交換をすることができる。
【００２５】
図３を参照されたい。図３は、ＬＴＥシステムの通信プロトコルレイヤを示す概要図である。いくつかのプロトコルレイヤの動作は、プログラムコード２１４によって定義され、処理手段２００によって実行され得る。このプロトコルレイヤの上位レイヤから下位レイヤまでには、無線リソース制御（ＲＲＣ）レイヤ３００、パケットデータ集中プロトコル（ＰＤＣＰ）レイヤ３１０、無線リンク制御（ＲＬＣ）レイヤ３２０、メディアアクセス制御（ＭＡＣ）レイヤ３３０、および物理（ＰＨＹ）レイヤ３４０を含み得る。ＲＲＣレイヤ３００は、報知、ページング、ＲＲＣ接続管理、計測報告および計測制御、並びに複数の無線ベアラ（ＲＢ）を発生または放出に関与する無線ベアラ（ＲＢ）制御を行うために用いられる。
【００２６】
図４を参照されたい。図４は、典型的な処理４０を示すフローチャートである。処理４０は、システム情報の受信をハンドリングするために、複数のコンポーネントキャリアの送受信が可能なＵＥ（例えば、図１に示すモバイル装置１０）において利用される。処理４０は、プログラムコード２１４へコンパイルされる。また、処理４０は以下の各ステップを含んでいる。
【００２７】
ステップ４００：開始。
【００２８】
ステップ４１０：第１の個別シグナリングで複数のコンポーネントキャリアのうちのセカンダリコンポーネントキャリアのシステム情報を受信する。
【００２９】
ステップ４２０：セカンダリコンポーネントキャリアのシステム情報の最新版が第２の個別シグナリングで受信されるまで、セカンダリコンポーネントキャリアのシステム情報を有効にし続ける。
【００３０】
ステップ４３０：終了。
【００３１】
この処理４０によれば、ＵＥは、有効期間後（すなわち、３時間経過後）であっても、セカンダリコンポーネントキャリアのシステム情報の最新版が受信されるまで、受信したセカンダリコンポーネントキャリアのシステム情報を有効にし続ける。すなわち、ＵＥは、有効期間を考慮に入れず、セカンダリコンポーネントキャリアのシステム情報の最新版が受信される前に、セカンダリコンポーネントキャリアの受信したシステム情報が有効であると判断する。
【００３２】
図１に戻って参照されたい。処理４０の概念に基づいたシステム情報の受信に関わっている一例を挙げる。コンポーネントキャリアｃｃ＃１がプライマリコンポーネントキャリアであり、コンポーネントキャリアｃｃ＃２がセカンダリコンポーネントキャリアであると仮定する。また、有効期間の長さは、３時間であるとする。ＵＥは、報知シグナリングでコンポーネントキャリアｃｃ＃１のシステム情報を能動的に受信する（すなわち、ＵＥは、ネットワークによって報知されたプライマリコンポーネントキャリアのシステム情報を自発的に読み込む）。そして、ＵＥは、上記ネットワーク（例えば、基地局Ｂ２）によって送信された第１の個別シグナリングでコンポーネントキャリアｃｃ＃２のシステム情報を受動的に受信する。ＵＥは、コンポーネントキャリアｃｃ＃１のシステム情報が３時間有効であるとみなす。そして、ＵＥは、コンポーネントキャリアｃｃ＃１のシステム情報を更新するためにコンポーネントキャリアｃｃ＃１上に報知されたシステム情報を自動的に読み込む。一方、コンポーネントキャリアｃｃ＃２のシステム情報の最新版が、ネットワークによって送信された第２の個別シグナリングで受信されるまで、ＵＥは、コンポーネントキャリアｃｃ＃２のシステム情報を有効とみなす。すなわち、３時間を越えても、ＵＥがコンポーネントキャリアｃｃ＃２のシステム情報の最新版を何れも受信しない場合、ＵＥは、まだ、コンポーネントキャリアｃｃ＃２のシステム情報が有効であるとみなす。
【００３３】
一方で、ＵＥは、ネットワークのコマンドによって、セカンダリコンポーネントキャリアをプライマリコンポーネントキャリアに変更するように設定される。この場合、ＵＥは、わずか有効期間の間、セカンダリコンポーネントキャリアの受信したシステム情報を有効にし続ける。例えば、コンポーネントキャリア＃ｃｃ２をプライマリコンポーネントキャリアに変更するために、ＵＥがＲＲＣメッセージ（例えば、“RRCConnectionReconfiguration”メッセージ）を受信する時、ＵＥは、コンポーネントキャリアｃｃ＃２のシステム情報が３時間有効であるとみなす。上述の方法を実現するために、ＵＥは、３時間の値のタイマーを開始する。タイマーが終了した後（すなわち、３時間経過後）、ＵＥは、コンポーネントキャリアｃｃ＃２のシステム情報が無効であるとみなす。
【００３４】
処理４０の概念に基づけば、キャリアアグリゲーションのもとでのＵＥは、セカンダリコンポーネントキャリアのシステム情報の最新版が個別シグナリングで受信されるまで、セカンダリコンポーネントキャリアのシステム情報を有効にし続ける。これは、有効期間後、ＵＥがセカンダリコンポーネントキャリアの有効なシステム情報を保持していないことを避けるためである。
【００３５】
図５を参照されたい。図５は、本明細書における一例に従って、処理５０を示すフローチャートである。処理５０は、システム情報の受信をハンドリングするために、複数のコンポーネントキャリアの送受信が可能なＵＥ（例えば、図１に示すモバイル装置１０）において利用される。処理５０は、プログラムコード２１４へコンパイルされる。また、処理５０は以下の各ステップを含んでいる。
【００３６】
ステップ５００：開始。
【００３７】
ステップ５１０：複数のコンポーネントキャリアのうちのセカンダリコンポーネントキャリアのシステム情報を受信する。
【００３８】
ステップ５２０：セカンダリコンポーネントキャリアのシステム情報の最新版が、ＵＥがセカンダリコンポーネントキャリアの受信したシステム情報が有効であると判断している有効期間内で受信されなかった時、ネットワークを示すメッセージを送信する。
【００３９】
ステップ５３０：終了。
【００４０】
この処理５０によれば、ＵＥが有効期間内にセカンダリコンポーネントキャリアのシステム情報の最新版を何れも受信していない場合、ＵＥはネットワークを示すメッセージを送信する。これにより、ネットワークが上記メッセージを受信した時、ネットワークは、セカンダリコンポーネントキャリアのシステム情報の最新版をＵＥに送信する。
【００４１】
処理５０に基づいて一例を挙げる。ＵＥは、ネットワークから第１の個別シグナリングでコンポーネントキャリアｃｃ＃２のシステム情報を受信する。ＵＥは、コンポーネントキャリアｃｃ＃２のシステム情報が３時間有効であるとみなす。３時間後、ＵＥがコンポーネントキャリアｃｃ＃２のシステム情報の最新版を何れも受信しない場合、ＵＥは、ＲＲＣメッセージをネットワークに通知する。その結果、ネットワークは、コンポーネントキャリアｃｃ＃２のシステム情報を更新するために第２の個別シグナリングをＵＥに送信する。
【００４２】
処理５０の概念に基づけば、キャリアアグリゲーションのもとでのＵＥは、セカンダリコンポーネントキャリアのシステム情報を更新するように、ネットワークに能動的に知らせる。これは、有効期間後、ＵＥが有効なシステム情報を保持していないことを避けるためである。
【００４３】
図６を参照されたい。図６は、本明細書における一例に従って、処理６０を示すフローチャートである。処理６０は、システム情報の受信をハンドリングするために、複数のコンポーネントキャリアの送受信が可能なＵＥ（例えば、図１に示すモバイル装置１０）において利用される。処理６０は、プログラムコード２１４へコンパイルされる。また、処理６０は以下の各ステップを含んでいる。
【００４４】
ステップ６００：開始。
【００４５】
ステップ６１０：複数のコンポーネントキャリアのうちのセカンダリコンポーネントキャリアのシステム情報を受信する。
【００４６】
ステップ６２０：セカンダリコンポーネントキャリアのシステム情報の最新版が、ＵＥがセカンダリコンポーネントキャリアのシステム情報が有効であると判断している有効期間内で受信されなかった時、セカンダリコンポーネントキャリアの報知シグナリングでセカンダリコンポーネントキャリアのシステム情報の最新版を受信する。
【００４７】
ステップ６３０：終了。
【００４８】
この処理６０によれば、ＵＥが、有効期間内にセカンダリコンポーネントキャリアのシステム情報の最新版を何れも受信していない場合、ＵＥは、報知シグナリングでセカンダリコンポーネントキャリアのシステム情報の最新版を受信する。
【００４９】
処理６０に基づいて一例を挙げる。ＵＥは、ネットワークから報知シグナリングでコンポーネントキャリア＃２のシステム情報を受信する。ＵＥが３時間以内にコンポーネントキャリアｃｃ＃２のシステム情報の最新版を受信していない時、ＵＥは、コンポーネントキャリアｃｃ＃２の報知シグナリングからコンポーネントキャリアｃｃ＃２のシステム情報を能動的に読み込み、その結果、コンポーネントキャリアｃｃ＃２のシステム情報の最新版を取得する。これは、有効期間後、セカンダリコンポーネントキャリアのＵＥが有効なシステム情報を保持していないことを避けるためである。
【００５０】
図７を参照されたい。図７は、本明細書における一例に従って、処理７０を示すフローチャートである。処理７０は、システム情報の受信をハンドリングするためのネットワークに利用される。処理７０は、プログラムコード２１４へコンパイルされる。また、処理７０は以下の各ステップを含んでいる。
【００５１】
ステップ７００：開始。
【００５２】
ステップ７１０：複数のコンポーネントキャリアのうちのセカンダリコンポーネントキャリアのシステム情報をＵＥに送信する。
【００５３】
ステップ７２０：ＵＥがセカンダリコンポーネントキャリアのシステム情報が有効であると判断している有効期間内に、セカンダリコンポーネントキャリアのシステム情報の最新版をＵＥに送信する。
【００５４】
ステップ７３０：終了。
【００５５】
この処理７０によれば、ネットワークは、セカンダリコンポーネントキャリアのシステム情報の最新版を有効期間内に、ＵＥに対し自動的に送信する。これにより、ＵＥは有効期間後、更新のための有効なシステム情報を保持する。
【００５６】
処理７０に基づいて一例を挙げる。ＵＥは、ネットワークから第１の個別シグナリングでコンポーネントキャリアｃｃ＃２のシステム情報を受信する。一方で、ネットワークが第１の個別シグナリングをＵＥに送信する時、当該ネットワークは３時間の値のタイマーを開始する。そして、ネットワークは、コンポーネントキャリアｃｃ＃２のシステム情報を更新するために第２の個別シグナリングをタイマーが終了する前にＵＥに送信する。その後、ＵＥは、コンポーネントキャリアｃｃ＃２のシステム情報が無効になる前に、コンポーネントキャリアｃｃ＃２のシステム情報の最新版を受信する。
【００５７】
図８を参照されたい。図８は、本明細書における一例に従って、処理８０を示すフローチャートである。処理８０は、システム情報の受信をハンドリングするためのネットワークに利用される。処理８０は、プログラムコード２１４へコンパイルされる。また、処理８０は以下の各ステップを含んでいる。
【００５８】
ステップ８００：開始。
【００５９】
ステップ８１０：複数のコンポーネントキャリアのうちのセカンダリコンポーネントキャリアのシステム情報をＵＥに送信する。
【００６０】
ステップ８２０：ＵＥに対し、複数のコンポーネントキャリアのうちのセカンダリコンポーネントキャリアが、複数のコンポーネントキャリアにのうちのプライマリコンポーネントキャリアになるように設定する。
【００６１】
ステップ８３０：プライマリコンポーネントキャリアのシステム情報の最新版を個別シグナリングでＵＥに送信する。
【００６２】
ステップ８４０：終了。
【００６３】
この処理８０によれば、セカンダリコンポーネントキャリアがプライマリコンポーネントキャリアに変更される時、ネットワークは、プライマリコンポーネントキャリアのシステム情報を更新するための個別シグナリングをＵＥに送信する。すなわち、セカンダリコンポーネントキャリアがプライマリコンポーネントキャリアに変更される時、ＵＥは、システム情報を送信している報知シグナリングでプライマリコンポーネントキャリアのシステム情報を受信しない。
【００６４】
なお、個別シグナリングは、システム情報を含んだ情報要素を含んでいるＲＲＣメッセージ（例えば、“RRCConnectionReconfigration”メッセージ）、または、システム情報を含んでいる新しいＲＲＣメッセージである。加えて、プライマリコンポーネントキャリアのシステム情報は、MasterInformationBlock（ＭＩＢ）、SystemInformationBlockType1（ＳＩＢ１）およびSystemInformationBlockType2（ＳＩＢ２）のうちの少なくとも一つ、または、ＭＩＢ、ＳＩＢ１およびＳＩＢ２のうちの少なくとも一つに含まれる情報要素である。
【００６５】
処理８０に基づいて一例を挙げる。ＵＥは、ネットワークから第１の個別シグナリングでコンポーネントキャリアｃｃ＃２（すなわちセカンダリコンポーネントキャリア）のシステム情報を受信する。一方で、ネットワークは、コンポーネントキャリアｃｃ＃２をプライマリコンポーネントキャリアに変更するように設定する。その後、ネットワークは、第２の個別シグナリングでコンポーネントキャリアｃｃ＃２のシステム情報の最新版を送信する。一方で、ＵＥは、コンポーネントキャリアｃｃ＃２（すなわちプライマリコンポーネントキャリア）のシステム情報を更新するための第２の個別シグナリングを受信する。
【００６６】
処理８０に基づけば、セカンダリコンポーネントキャリアがプライマリコンポーネントキャリアに変更される時、ＵＥは、システム情報を更新するためのプライマリコンポーネントキャリアのシステム情報の取得方法を理解する。
【００６７】
図９を参照されたい。図９は、本明細書における一例に従って、処理９０を示すフローチャートである。処理９０は、システム情報の受信をハンドリングするために、複数のコンポーネントキャリアの送受信が可能なＵＥ（例えば、図１に示すモバイル装置１０）において利用される。処理９０は、プログラムコード２１４へコンパイルされる。また、処理９０は以下の各ステップを含んでいる。
【００６８】
ステップ９００：開始。
【００６９】
ステップ９１０：複数のコンポーネントキャリアのうちのセカンダリコンポーネントキャリアのシステム情報を受信する。
【００７０】
ステップ９２０：セカンダリコンポーネントキャリアをプライマリコンポーネントキャリアに変更するように設定する。
【００７１】
ステップ９３０：セカンダリコンポーネントキャリアをプライマリコンポーネントキャリアに変更することに応じて、プライマリコンポーネントキャリアのシステム情報を報知シグナリングで受信する。
【００７２】
ステップ９４０：終了。
【００７３】
この処理９０によれば、セカンダリコンポーネントキャリアがプライマリコンポーネントキャリアに変更された時、ＵＥは、報知シグナリングでセカンダリコンポーネントキャリア（新しいプライマリコンポーネントキャリア）のシステム情報を受信する。
【００７４】
処理９０に基づいて一例を挙げる。ＵＥは、ネットワークから個別シグナリングでコンポーネントキャリアｃｃ＃２のシステム情報を受信する。ネットワークは、コンポーネントキャリアｃｃ＃２をプライマリコンポーネントキャリアに変更するように設定する。その後、ＵＥは、個別シグナリングで受信したセカンダリコンポーネントのシステム情報に含まれる第１バリュータグ（例えば“SystemInfoValueTag”）が、報知シグナリングで受信したシステム情報に含まれる第２バリュータグと異なっているかどうかを判断する。ＵＥが、第１バリュータグが第２バリュータグと異なる（すなわちセカンダリコンポーネントキャリアの受信したシステム情報が報知シグナリングによって送信されたシステム情報と異なる）と判断した場合、ＵＥは、コンポーネントキャリアｃｃ＃２（すなわち新しいプライマリコンポーネントキャリア）のシステム情報を報知シグナリングで受信する。
【００７５】
処理９０に基づけば、セカンダリコンポーネントキャリアがプライマリコンポーネントキャリアに変更される時、ＵＥは、プライマリコンポーネントキャリアのシステム情報の取得方法を理解する。ＵＥは、個別シグナリングの代わりに報知シグナリングで、プライマリコンポーネントキャリアのシステム情報を受信する。
【００７６】
なお、上記処理における上述したステップは、ハードウェア、ハードウェア装置およびコンピュータ命令の組み合わせとして知られるファームウェア、並びに、ハードウェア装置の読み取り専用のソフトウェアとして備わっているデータ、または電子システムで実現可能に提案されたステップを含んでいる。ハードウェアの例では、アナログ、デジタル、並びに、超小型回路、マイクロチップまたはシリコンチップとして知られる混在回路を含むことが可能である。電子システムの例では、システムオンチップ（ＳＯＣ：system on chip）、パケージ内システム（Ｓｉｐ：system in package）、モジュール上コンピュータ（ＣＯＭ：computer on module）、および通信装置２０を含むことが可能である。
【００７７】
要するに、複数の典型的な例および方法は、セカンダリコンポーネントキャリア／プライマリコンポーネントキャリアのためのシステム情報の更新を正確に実行するために、ＵＥおよび／またはネットワークのためのシステム情報の受信をハンドリングするために提供される。
【００７８】
当業者であれば、本発明の教えが保持されている間に作られるであろう装置および方法の数多くの変更を、たやすく気付くであろう。それゆえ、上記開示は、添付されたクレームの割り当ておよび範囲のみによって制限されると解釈されるべきである。
【図１】
0005595326.tif 000002
【図２】
0005595326.tif 000003
【図３】
0005595326.tif 000004
【図４】
0005595326.tif 000005
【図５】
0005595326.tif 000006
【図６】
0005595326.tif 000007
【図７】
0005595326.tif 000008
【図８】
0005595326.tif 000009
【図９】
0005595326.tif 000010